(57)【特許請求の範囲】
【請求項１】
一つのデバイスの設定を別のデバイスにコピーするシステムであって、前記両デバイスは設定に従い制御を行うプロセッサを有するランプであり、
第一デバイスに接続されるネットワーク送信機と；
第二デバイスに接続されるネットワーク受信機と；
を有し、
該ネットワーク送信機及び該ネットワーク受信機は、それらの距離が所定の距離に実質的に等しいかあるいはそれより小さいとき、ネットワーク接続を確立することができ；
前記ネットワーク送信機は、前記第一デバイスのデバイス設定を読み込み、かつ、前記確立されたネットワーク接続を通じて前記の読み込まれたデバイス設定を送信するよう構成され；
前記ネットワーク受信機は、前記確立されたネットワーク接続を通じて前記ネットワーク送信機によって送信された前記デバイス設定を受信し、かつ、前記の受信したデバイス設定にしたがって前記第二デバイスを設定するよう構成され；
前記ネットワーク送信機は、第一ネットワーク送受信機の一部であり、かつ、ネットワーク受信機の探索信号を送信するよう構成され；かつ
前記ネットワーク受信機は、第二ネットワーク送受信機の一部であり、かつ、前記第一ネットワーク送受信機からの探索信号の受信に応じて応答信号を送信するよう構成され；
前記第一ネットワーク送受信機は、前記応答信号を受信したとき、前記第二ネットワーク送受信機とネットワーク接続を自動的に確立するよう構成され；さらに
前記第二ネットワーク送受信機は、前記確立されたネットワーク接続を通じて、前記第二デバイスの機能を前記第一ネットワーク送受信機へ通信するように構成され、前記第一ネットワーク送受信機は、受信された前記第二デバイスの機能を前記第一デバイスの機能と比較し、かつ、前記確立されたネットワーク接続を通じて前記第一デバイスのどのデバイス設定を送信するか決定するように構成される特徴；及び
前記第一ネットワーク送受信機は、前記確立されたネットワーク接続を通じて、前記第一デバイスの機能を前記第二ネットワーク送受信機へ通信するよう構成され、前記第二ネットワーク送受信機は、受信された前記第一デバイスの機能を、前記第二デバイスの機能と比較し、かつ、前記確立されたネットワーク接続を通じて前記第一デバイスのどのデバイス設定を送信するか要求するように構成される特徴
のうち、一つ以上の特徴によってさらに特徴付けられる、
システム。
【請求項２】
前記システムは、
リモコン装置からデバイス設定のコピー手順を開始する信号を受信するようさらに構成される、
請求項１に記載のシステム。
【請求項３】
前記ネットワーク送信機及び前記ネットワーク受信機は、１メートル程度の短距離無線ネットワーク接続を確立するよう構成される、
請求項１又は２に記載のシステム。
【請求項４】
前記ネットワーク送信機は、周期的に読み込まれたデバイス設定をブロードキャストするよう構成され；かつ
前記ネットワーク受信機は、前記ネットワーク送信機からブロードキャストされた前記デバイス設定を受信し、かつ、受信された前記デバイス設定にしたがって前記第二デバイスを設定するよう構成される；
請求項１ないし３いずれか一項に記載のシステム。
【請求項５】
ランプ設定のネットワーク送受信機であって、
当該ネットワーク送受信機を、ランプ設定に従い制御を行うプロセッサを有する第一のランプに接続するインターフェースであって、かつ、当該インターフェースを通じてランプ設定を送信する、インターフェース；
前記インターフェースを通じて、前記ネットワーク送受信機が接続される前記第一のランプのランプ設定を読み出すためのプロセッサであって、かつ、前記ネットワーク送受信機が接続される前記第一のランプを、前記インターフェースを通じて受信した第二のランプのランプ設定に従って設定するための、プロセッサ；及び
別のネットワーク送受信機とネットワーク接続を、二つの送受信機の間の距離が所定の距離に実質的に等しいかあるいはそれより小さいとき、確立するための通信部であって、かつ、前記確立されたネットワーク接続を通じて前記別のネットワーク送受信機へ前記第一のランプのランプ設定を送信するための、通信部；
を有し、
前記プロセッサは、前記第二のランプから受信された前記第二のランプの機能を前記第一のランプの機能と比較し、前記第一のランプに適用可能な前記第二のランプのランプ設定を決定し、決定された前記ランプ設定に対する要求を前記第二のランプに送信する；
ネットワーク送受信機。
【請求項６】
前記ネットワーク送受信機は、
リモコン装置からの命令を受信し処理するリモコンモジュールをさらに有する、
請求項５に記載のネットワーク送受信機。
【請求項７】
前記ネットワーク送受信機は、
ランプ設定のコピー手順を開始するためのボタンをさらに有する、
請求項５又は６に記載のネットワーク送受信機。
【請求項８】
請求項５ないし７いずれか一項に記載のランプ設定のネットワーク送受信機を有する、
ランプ。
【請求項９】
一つのデバイスのデバイス設定を別のデバイスへとコピーする方法であって、前記両デバイスはデバイス設定に従い制御を行うプロセッサを有するランプであり、
第一デバイスと第二デバイスとの間のネットワーク接続を、前記デバイス間の距離が所定の距離に実質的に等しいかあるいはそれより小さいとき、確立する段階；
前記第一デバイスが、前記第二デバイスから前記第二デバイスの機能のリストを受信し、前記第二デバイスの機能を前記第一デバイスの機能のリストと比較し、前記第二デバイスに適用可能な前記第一デバイスのデバイス設定を決定する段階；
決定された前記第一デバイスのデバイス設定を読み込み、かつ、前記確立されたネットワーク接続を通じて読み込まれた前記デバイス設定を送信する段階；
前記確立されたネットワーク接続を通じて、前記第二デバイスが、決定された前記デバイス設定を受信する段階；及び
受信された前記デバイス設定にしたがって前記第二デバイスを設定する段階；
を有する、方法。
【請求項１０】
前記方法は、
前記第一デバイスによって第二デバイスの探索信号を送信する段階；
前記第一デバイスからの前記探索信号の受信に応じ、前記第二デバイスから応答信号を送信する段階；及び
前記応答信号を受信したとき、前記デバイス間で前記ネットワーク接続を確立する段階；をさらに有する、
請求項９に記載の方法。
【請求項１１】
プロセッサが、請求項９又は１０による方法を実行することを可能化する、コンピュータプログラム。
【請求項１２】
請求項１１によるコンピュータプログラムを保管する記録媒体。
【請求項１３】
請求項９又は１０による方法を実行するようプログラムされ、デバイスと結合されるインターフェースを有する、コンピュータ。
【発明の詳細な説明】
【技術分野】
【０００１】
本発明は、例えばランプのネットワークで構成される照明システムのそれぞれのランプを設定することのように、ユーザがランプデバイスのネットワークのそれぞれのデバイスを設定しなくてもよいよう、デバイスの設定を他のデバイスにコピーすることに関する。
【背景技術】
【０００２】
現在の照明システムは、通常、多数のランプ又は照明ユニットを有する。これらの照明システムのランプは、通常、例えば明るさ、色等の、ユーザによって設定され得る多くのパラメータを有する。そのような設定可能なランプの一例は、出願人のＬｉｖｉｎｇＣｏｌｏｒｓ（商標）ランプである。ＬｉｖｉｎｇＣｏｌｏｒｓ（商標）ランプは、ユーザが快適に照明の色及び明るさを設定できる無線リモコン装置（ａ  ｒａｄｉｏ  ｒｅｍｏｔｅ  ｃｏｎｔｒｏｌ）を有する。
【先行技術文献】
【特許文献】
【０００３】
【特許文献１】米国特許第６５２８９５４号明細書
【発明の概要】
【発明が解決しようとする課題】
【０００４】
数個のＬｉｖｉｎｇＣｏｌｏｒｓ（商標）ランプを備える照明システムにおいて、
ユーザが、複数のＬｉｖｉｎｇＣｏｌｏｒｓ（商標）のそれぞれ一つずつ設定することは、退屈で面倒であることがある。特に、ランプの照明の色がユーザの好みにぴったりあうように、それぞれのランプの照明の色を調整することは退屈で面倒であることがある。
【０００５】
特許文献１は、プロセッサ及び少なくとも送信機及び受信機のうち一つを有するスマートライトバルブ（ｓｍａｒｔ  ｌｉｇｈｔ  ｂｕｌｂ）に関する。前記プロセッサは、スマートライトバルブの照明光源の色と明るさを制御できる。
【０００６】
受信機又は送信機を用いて、前記スマートライトバルブは、スマートライトバルブである可能性のある他のデバイスからの信号に応答でき、あるいは、他のデバイスへ信号を送信できる。しかしながら、これらのスマートライトバルブは、それぞれのランプの設定を個々に行う退屈で面倒な作業からユーザを解放することはできない。
【課題を解決するための手段】
【０００７】
本発明の目的は、デバイスネットワークのデバイスの容易なセットアップを可能にするシステム及び方法を提供することである。
【０００８】
前記目的は、独立したクレームの主題によって解決される。さらなる実施形態は、従属クレームによって示される。
【０００９】
本発明の基本的な考えは、ユーザが、一つのデバイスの設定を近接する他のデバイスに容易にコピーできるよう、近接検出の一形態を有するネットワーク送信機及び受信機を有する、ランプのようなデバイスを備えることである。したがって、ユーザは、個々にそれぞれのデバイスをセットアップすべきではないが、ただ一つのデバイスをセットアップする必要がある。かつ、ユーザは、両方のデバイスを持ってくる方法、例えばセットアップ済みデバイスとこれからセットアップされるデバイスをごく接近させる方法を含む、比較的単純かつ快適な方法により、このデバイスから全てのほかのデバイスへ設定をコピーすることができる。ネットワーク送信機及び受信機により、セットアップ済みデバイスからこれからセットアップされるデバイスへとデバイスの設定を送信する処理は、例えば、受信機を有するデバイスが付近に送信機を有するデバイスを検出したとき、自動的に開始されることができる。あるいは、前記処理は、例えば、一方か両方のデバイスの“デバイス設定コピー”ボタンを押下することにより、手動で起動されることができる。前記処理は、例えば、設定がコピーされるべき一つ目のデバイスの“コピー”ボタンを押し、そして一つ目のデバイスの設定がコピーされるべき二つ目のデバイスの“コピー”ボタンを押すことにより、手動で起動されることができる。
【００１０】
本発明の一つの実施形態におけるシステムは、一つのデバイスの設定を別のデバイスにコピーするシステムであって、前記両デバイスは設定に従い制御を行うプロセッサを有するランプであり、第一デバイスに接続されるネットワーク送信機と；第二デバイスに接続されるネットワーク受信機と；を有し、該ネットワーク送信機及び該ネットワーク受信機は、それらの距離が所定の距離に実質的に等しいかあるいはそれより小さいとき、ネットワーク接続を確立することができ；前記ネットワーク送信機は、前記第一デバイスのデバイス設定を読み込み、かつ、前記確立されたネットワーク接続を通じて前記の読み込まれたデバイス設定を送信するよう構成され；かつ、前記ネットワーク受信機は、前記確立されたネットワーク接続を通じて前記ネットワーク送信機によって送信された前記デバイス設定を受信し、かつ、前記の受信したデバイス設定にしたがって前記第二デバイスを設定するよう構成され、前記ネットワーク送信機は、第一ネットワーク送受信機の一部であり、かつ、ネットワーク受信機の探索信号を送信するよう構成され；かつ前記ネットワーク受信機は、第二ネットワーク送受信機の一部であり、かつ、前記第一ネットワーク送受信機からの探索信号の受信に応じて応答信号を送信するよう構成され；前記第一ネットワーク送受信機は、前記応答信号を受信したとき、前記第二ネットワーク送受信機とネットワーク接続を自動的に確立するよう構成され；さらに前記第二ネットワーク送受信機は、前記確立されたネットワーク接続を通じて、前記第二デバイスの機能を前記第一ネットワーク送受信機へ通信するように構成され、前記第一ネットワーク送受信機は、受信された前記第二デバイスの機能を前記第一デバイスの機能と比較し、かつ、前記確立されたネットワーク接続を通じて前記第一デバイスのどのデバイス設定を送信するか決定するように構成される特徴；及び前記第一ネットワーク送受信機は、前記確立されたネットワーク接続を通じて、前記第一デバイスの機能を前記第二ネットワーク送受信機へ通信するよう構成され、前記第二ネットワーク送受信機は、受信された前記第一デバイスの機能を、前記第二デバイスの機能と比較し、かつ、前記確立されたネットワーク接続を通じて前記第一デバイスのどのデバイス設定を送信するか要求するように構成される特徴のうち、一つ以上の特徴によってさらに特徴付けられる。
【００１１】
二つのデバイスの間の距離を見積もるため、例えば、デバイスの信号の信号強度、又は、デバイスから信号が送信され、そのデバイスに送り返される往復時間を測定することができる。前記デバイスは、特に、出願人のＬｉｖｉｎｇＣｏｌｏｒ（商標）ランプのようなネットワークに接続された照明システムのランプであってもよい。前記システムは、例えば、既存のＬｉｖｉｎｇＣｏｌｏｒｓ（商標）ランプとともに、装備ランプ（ｅｑｕｉｐｐｉｎｇ  ｌａｍｐｓ）のキットとして提供できる。もう一つの方法として、前記システムは、また、例えば新しい機構として、デバイス又はランプに統合されることができる。
【００１２】
前記システムのさらなる実施形態によると、
−前記ネットワーク送信機は、第一ネットワーク送受信機の一部であり、かつ、ネットワーク受信機の探索信号を送信するよう構成されることができ、
−前記ネットワーク受信機は、第二ネットワーク送受信機の一部であり、かつ、前記第一ネットワーク送受信機からの探索信号の受信に応じて応答信号を送信するよう構成されることができ、かつ、
−前記第一ネットワーク送受信機は、前記応答信号を受信したとき、前記第二ネットワーク送受信機とネットワーク接続を自動的に確立するよう構成されることができる。本発明により、デバイスに接続されるネットワーク送受信機は、受信したデバイス設定によりデバイスを設定するため、あるいはデバイスの設定を送信するために用いられ得るように、それぞれの送受信機は送信機及び受信機を有し得るので、このことは、前記ネットワーク送受信機のとても柔軟な応用を可能にする。
【００１３】
さらなる実施形態において、前記システムは、次の一つ以上によって特徴付けられる：
−前記第二ネットワーク送受信機は、前記確立されたネットワーク接続を通じて、前記第二デバイスの機能を前記第一ネットワーク送受信機へ通信するように構成され、前記第一ネットワーク送受信機は、受信された前記第二デバイスの機能を前記第一デバイスの機能と比較し、かつ、前記確立されたネットワーク接続を通じて前記第一デバイスのどのデバイス設定を送信するか決定するように構成されることができ；
−前記第一ネットワーク送受信機は、前記確立されたネットワーク接続を通じて、前記第一デバイスの機能を前記第二ネットワーク送受信機へ通信するよう構成され、前記第二ネットワーク送受信機は、受信された前記第一デバイスの機能を、前記第二デバイスの機能と比較し、かつ、前記確立されたネットワーク接続を通じて前記第一デバイスのどのデバイス設定を送信するか要求するように構成されることができる。
【００１４】
一つ目の別の可能性において、前記第一ネットワーク送受信機は、前記第二デバイスの前記受信された機能と前記第一デバイスの機能を比較し、かつ、前記第一デバイスのどのデバイス設定が前記第二デバイスに適用できるか決定しても良い。例えば、もし前記第一ネットワーク受信機が、前記受信された機能を照合することにより、前記第二デバイスが前記第一デバイスが有する機能の全てを有していないことを確認したとき、前記第一ネットワーク受信機は、前記第二デバイスによって処理されることのできる、前記第一デバイスの機能のサブセットのみを前記第二デバイスへ送信することを決定することができる。また、前記第一送受信機は、もし前記第二デバイスが、例えば互換性がない又は前記第一デバイスのどの機能も有していないため、前記第一デバイスのデバイス設定を処理できないとき、どのようなデバイス設定も全く送信しないことを決定することができる。二つ目の別の可能性により、前記第二ネットワーク送受信機は、どの設定が前記第一ネットワーク送受信機から送信されるべきか、前記第一ネットワーク送受信機から送信される設定を要求することにより、比較し決定する。
【００１５】
前記システムは、さらに、本発明の実施形態によるリモコン装置から、デバイス設定のコピー手順を開始する信号を受信するよう構成されても良い。したがって、ユーザは、明確にかつ快適に一つのデバイスから別のデバイスへデバイス設定のコピーを開始することができる。例えば、ユーザが彼／彼女のリモートコントールにより一つのデバイスのデバイス設定を調整し、それから設定を終了した後、調整済みのデバイスの近くの一つ以上の他のデバイスへデバイス設定のコピーを開始する。
【００１６】
前記ネットワーク送信機及び前記ネットワーク受信機は、本発明の実施形態において１メートル程度の短距離無線ネットワーク接続を確立するよう構成されることができる。このことは、多量の電力を必要とせず、通信相手と素早くネットワーク接続を確立できる、例えばＢｌｕｅｔｏｏｔｈ（登録商標）又はＺｉｇＢｅｅ（商標）のような、特別に短距離の無線モジュールの適用を可能にする。
【００１７】
本発明のさらなる実施形態によると、前記ネットワーク送信機は、周期的に読み込まれたデバイス設定をブロードキャストするよう構成されても良く、かつ、前記ネットワーク受信機は、前記送信機からブロードキャストされた前記デバイス設定を受信し、受信された前記デバイス設定にしたがって前記第二デバイスを設定するよう構成されることができる。
【００１８】
本発明の別の実施形態におけるネットワーク送受信機は、ランプ設定のネットワーク送受信機であって、当該ネットワーク送受信機を、ランプ設定に従い制御を行うプロセッサを有する第一のランプに接続するインターフェースであって、かつ、当該インターフェースを通じてランプ設定を送信する、インターフェース；前記インターフェースを通じて、前記ネットワーク送受信機が接続される前記第一のランプのランプ設定を読み出すためのプロセッサであって、かつ、前記ネットワーク送受信機が接続される前記第一のランプを、前記インターフェースを通じて受信した第二のランプのランプ設定に従って設定するための、プロセッサ；及び別のネットワーク送受信機とネットワーク接続を、二つの送受信機の間の距離が所定の距離に実質的に等しいかあるいはそれより小さいとき、確立するための通信部であって、かつ、前記確立されたネットワーク接続を通じて前記別のネットワーク送受信機へ前記第一のランプのランプ設定を送信するための、通信部；を有し、前記プロセッサは、前記第二のランプから受信された前記第二のランプの機能を前記第一のランプの機能と比較し、前記第一のランプに適用可能な前記第二のランプのランプ設定を決定し、決定された前記ランプ設定に対する要求を前記第二のランプに送信する。
【００１９】
送受信機は、本発明の実施形態において、
−リモコン装置から命令を受信し処理するリモコンモジュール
をさらに有することができる。この実施形態は、例えば、デバイスに接続されることのできる分かれたボックス（ｂｏｘ）の一種として提供されることができ、かつ、リモコン装置で制御されることができる。例えばユーザは、前記送受信機を前記デバイスのデバイス設定インターフェースと接続し、そして次にリモコン装置を用いて、例えば前記デバイスの設定を他のデバイスへコピーすること又は別のデバイスからデバイス設定を受信すること、及び受信されたデバイス設定により接続されたデバイスを設定すること等の、前記送受信機のふるまいを制御することができる。
【００２０】
本発明の別の実施形態において、送受信機は、デバイス設定のコピー手順を開始するためのボタンを有することができる。したがって、ユーザは、どのようなリモコン装置もなく設定のコピー手順を開始することができる。
【００２１】
本発明は、一つの実施形態において、本発明の、既に示したデバイス設定ネットワーク送受信機を有するデバイスもまた提供する。前記送受信機は、前記デバイスの機能を拡張するデバイスに統合されることができる。
【００２２】
本発明の別の実施形態における方法は、一つのデバイスのデバイス設定を別のデバイスへとコピーする方法であって、前記両デバイスはデバイス設定に従い制御を行うプロセッサを有するランプであり、第一デバイスと第二デバイスとの間のネットワーク接続を、前記デバイス間の距離が所定の距離に実質的に等しいかあるいはそれより小さいとき、確立する段階；前記第一デバイスが、前記第二デバイスから前記第二デバイスの機能のリストを受信し、前記第二デバイスの機能を前記第一デバイスの機能のリストと比較し、前記第二デバイスに適用可能な前記第一デバイスのデバイス設定を決定する段階；決定された前記第一デバイスのデバイス設定を読み込み、かつ、前記確立されたネットワーク接続を通じて読み込まれた前記デバイス設定を送信する段階；前記確立されたネットワーク接続を通じて、前記第二デバイスが、決定された前記デバイス設定を受信する段階；及び受信された前記デバイス設定にしたがって前記第二デバイスを設定する段階；を有する。  
前記方法は、例えば、デバイス又は既に示した送受信機の制御部の制御ソフトウェアとして埋め込まれることができる。
【００２３】
本発明のさらなる実施形態によると、前記方法は、
−前記第一デバイスにより、第二デバイスのための探索信号を送信する段階；
−前記第一デバイスからの前記探索信号の受信に応じて前記第二デバイスから応答信号を送信する段階；及び
−応答信号を受け取ったとき前記デバイス間でネットワーク接続を確立する段階；を有する。
【００２４】
本発明のさらなる実施形態によると、プロセッサが本発明による上記方法を実行することを可能にするコンピュータープログラムが提供され得る。例えば、ユーザは、照明システムの既存の制御プログラムに本コンピュータプログラムを追加することにより、既存のコンピュータ制御の照明システムの機能を拡張することができる。
【００２５】
本発明のさらなる実施形態において、本発明によるコンピュータプログラムを保管する、例えばＣＤ−ＲＯＭ、ＤＶＤ、メモリーカード、フロッピー（登録商標）ディスク（ｄｉｓｋｅｔｔｅ）、インターネットメモリデバイス又は光学若しくは電子的なアクセス用の前記コンピュータプログラムを保管するために適する同様のデータキャリアのような記録媒体が提供され得る。
【００２６】
本発明のさらなる実施形態は、本発明による方法を実行するようプログラムされた、デバイスと接続するためのインターフェースを有する、例えばＰＣ（Ｐｅｒｓｏｎａｌ  Ｃｏｍｐｕｔｅｒ）のようなコンピュータを提供し得る。前記コンピュータは、例えば、家庭内、店舗内、オフィス内、ホテルのロビー等のような多数のランプを備える複雑な照明システムのための制御ユニットとして、例えば応用されることができる。無線ネットワークモジュールのような前記コンピュータで利用可能な通信機能は、例えば、前記コンピュータの無線通信モジュールにより、ランプ設定の送信のために、他のランプに接続される他のコンピュータとネットワーク接続を確立するなどの本発明を実装するために用いられることができる。したがって、本発明により、かつ、既に示したように、前記方法を実装するソフトウェアによりプログラムされた標準のコンピュータは、本発明により、かつ、既に示したように、ランプ設定のネットワーク送受信機として動作することができる。このことにより、ユーザは、既存の標準のＰＣを前記インターフェース経由で既存のランプに接続でき、かつ、例えば自宅の照明システムにおいて一つのランプから別のランプへ設定をコピーすることができる。
【００２７】
本発明に関するこれら及び他の態様は、下文に示された実施形態を参照して明らかにされ、かつ、解明されるだろう。
【００２８】
本発明は、さらに詳細について、例示的な実施形態への参照とともに、下文で示されるだろう。しかしながら、本発明は、それらの例示的な実施形態に限定されない。
【発明の効果】
【００２９】
本発明により、ユーザは、個々にそれぞれのデバイスをセットアップすべきではないが、ただ一つのデバイスをセットアップする必要がある。かつ、ユーザは、両方のデバイスを持ってくる方法、例えばセットアップ済みデバイスとこれからセットアップされるデバイスをごく接近させる方法を含む、比較的単純かつ快適な方法により、このデバイスから全てのほかのデバイスへ設定をコピーすることができる。
【図面の簡単な説明】
【００３０】
【図１】本発明による一つのランプの設定を別のランプへコピーするシステムの実施形態を示している。
【図２】本発明によるランプ設定のネットワーク送受信機の実施形態を示している。
【図３】本発明による一つのランプの設定を別のランプにコピーする方法のフローチャートの実施形態を表している。
【発明を実施するための形態】
【００３１】
以下において、機能的に同様又は同一な要素は、同一の参照番号を有し得る。次の実施形態の説明において、デバイスとは、ネットワークデバイスとして特に無線ランプのネットワークを形成する照明システムのランプである。しかしながら、本発明は、照明システムに適用されることに限定されず、どのような種類のデバイスとも用いられることもでき、前記デバイスは、ランプだけでなく制御デバイス、センサ、アクチュエータ又は例えばホームオートメーションシステム（ｈｏｍｅ  ａｕｔｏｍａｔｉｏｎ  ｓｙｓｔｅｍ）などのネットワーク化された制御システムのようなであっても良い。
【００３２】
図１は、第一ランプ１２及び数個の第二ランプ１６を有する照明システムを示している。前記ランプ１２及び１６は、既に説明したように、例えば本出願人のＬｉｖｉｎｇＣｏｌｏｒｓ（商標）ランプと同様のものであっても良い。第一ランプ１２によって作り出された照明は、ユーザの好みに合わせて設定されている。前記照明は、照明の明るさ及び色を含む。第一ランプ１２は、第一ネットワーク送受信機１０と接続されている。前記第一ネットワーク送受信機１０は、前記第一ランプ１２を設定及び構成し並びに前記第一ランプ１２の設定を読み取るよう構成されている。リモコン装置３０は、無線通信接続によって、制御信号２８を前記第一ネットワーク送受信機１０へ送信することができる。リモコン装置３０を用いて、ユーザは、第一ランプ１２の設定を調整することができ、かつ、第一ランプ１２の設定を第二ランプ１６の一つへコピーすることを開始することができる。前記コピーは、また、ユーザが、第一ランプ１２のボタン２６を押すことにより開始されても良い。
【００３３】
第一ネットワーク送受信機１０は、第一ランプ１２の設定を、第一ネットワーク送受信機１０の近隣に位置する第二ランプ１６へコピーするよう構成される。前記近隣とは、第一ネットワーク装置１０からの所定の距離２０によって定義される。所定の距離２０は、第一ネットワーク送受信機１０から送信される無線信号の範囲によって定義され、かつ、受信される信号の信号強度又は信号の往復時間を測定することによって見積もられることができる。一般的に、例えばＢｌｕｅｔｏｏｔｈ（登録商標）又はＺｉｇＢｅｅ（商標）又は無線通信装置と同類のものような短距離無線通信装置が、第一ネットワーク送受信機１０に統合される。第一ネットワーク送受信機１０の範囲内に位置していない全ての第二ネットワーク送受信機１４は、第一ネットワーク送受信機と、第一ランプ１２の設定が第二ランプ１６の一つにコピーされることのできるネットワーク接続１８を確立することができない。ユーザは、リモコン装置３０を経由するか、第一ランプ１２の上のボタン２６を押すことにより、設定コピー処理を開始するとき、第一ネットワーク送受信機１０は、ブロードキャスト探索信号のような探索信号２２を送信することを開始する。探索信号２２は、次の情報：第一ネットワーク送受信機１０のＩＤ（ｉｄｅｎｔｉｆｉｃａｔｉｏｎ）；第一ランプ１２のＩＤ；第一ランプの照明機能に関する情報；のうち、少なくとも一つを有することができる。第一ネットワーク送受信機１０からの探索信号２２の範囲２０内に位置するそれぞれの第二ネットワーク送受信機１４は、探索信号２２の受信に応じて、第一ネットワーク送受信機１０へ応答信号２４を返すことができる。応答信号２４は、次の情報：第一ネットワーク送受信機１０のＩＤ；第一ランプ１２のＩＤ；第二ネットワーク送受信機１４のＩＤ；第二ランプ１６のＩＤ；第二ランプ１６の照明機能に関する情報；のうち、少なくとも一つを有することができる。第一ネットワーク送受信機のＩＤ及び第二ネットワーク送受信機のＩＤは、二つの送受信機１０及び１４の間でネットワーク接続１８を設立するためアドレスの一種として働いても良い。第一ネットワーク送受信機１０は、第二ネットワーク送受信機１４から応答信号２４を受け取ったとき、ネットワーク接続１８を確立し、第一ランプ１２から設定を読み込み、そして第二送受信機１４へ確立されたネットワーク接続を通じて読み込んだ設定を送信できる。第二ネットワーク送受信機１４は、ランプ１２及び１６双方が少なくとも類似の照明を作り出し、ユーザが手動で第二ランプ１６を設定し構成しなくてよいように、受信した第一ランプ１２の設定にしたがって第二ランプ１６を設定する。
【００３４】
図２は、詳細にネットワーク送受信機１０の実装を示す。送受信機１０は、
例えばマイクロコントローラのような、後に示されるであろう方法を実行するためにプログラムされる、プロセッサ３４、例えばランプの対応する通信装置と接続し、ランプの設定が送信され得る接続を確立するための有線又は無線通信装置のような、ランプとネットワーク送受信機を接続し、インターフェースを通じてランプの設定を送信する、インターフェース３２、例えばＺｉｇＢｅｅ（商標）通信モジュールのような、モジュールの周辺半径１メートル程度の無線短距離ネットワーク接続が別のＺｉｇＢｅｅ（商標）通信モジュールとの接続を確立され得る、アンテナ３７を有する通信部３６を有する。送受信機は、例えばリモコン装置３０からの無線命令の受信機のような、リモコンモジュール３８をさらに有する。リモコンモジュール３８は、プロセッサが受信される命令を処理できるようプロセッサと接続される。また、プロセッサ３４が、インターフェース３２経由で読み込まれたランプの設定又はリモコン装置３０から受信した命令又は同様のものを（一時的に）保管することができる内部メモリ４０が提供される。送受信機１０は、次の一つの例を利用して説明されるよう動作する。送受信機１０は、インターフェース３２を通じてランプと接続されている（図１参照）。ユーザは、リモコン装置３０を通じて、接続されたランプの設定を別のランプへコピーするために、送受信機に指示することができる。前記別のランプは、送受信機１０の通信部３６の受信範囲内に位置している。したがって、リモコンモジュール３８を通じてリモコン装置３０から設定をコピーするための命令を受信したとき、プロセッサ３４は、コピー手順を実行するためのプログラムを実行する。このプログラムの典型的な実装のフローチャートは、図３に示される。
【００３５】
最初に、プロセッサ３４は、ステップＳ１０１を実行し、アンテナ３７を通じて近隣にあるランプの探索信号を送信し、かつ、任意の応答信号のための受信モード又はリスニングモードに切り替えるよう、通信部３６に指示する。
【００３６】
ステップＳ１０２において、探索信号のための送受信機と接続され、短距離探索信号の受信範囲内にある任意のランプも、探索信号を受信したとき、応答信号を用いて応答する。
【００３７】
注目すべきは、応答側のランプ又は送受信機は、それぞれ、それらが別のランプの送受信機からのいかなる探索信号もリッスンするリスニングモードにおいて操作され得ることである。また、探索信号は、送信側の送受信機１０のユニークなＩＤ及び既に記載されたいくつかの他の情報をを有することができる。ステップＳ１０３において、受信側のランプ又は送受信機からの応答信号は、通信部３６によってポイントツーポイントネットワーク接続を確立できるようユニークなＩＤもまた有することができる。通信部３６は、アンテナ３７を通じて応答信号を受信したとき、応答信号に含まれる、例えば応答側の送受信機又はランプのユニークＩＤなどのデータを、プロセッサに転送する。次に、プロセッサは、インターフェース３２を経由して送受信機１０が接続されるランプの設定が読み込まれる、ステップＳ１４を実行する。次に、プロセッサは、アンテナを通じて、確立されたネットワーク接続によりアドレスとしての応答側のランプ又は送受信機のユニークＩＤを含む、読み込まれた設定を送信するよう通信部３６に指示する。言い換えると、プロセッサは、設定をコピーするために、当該ランプの設定を他のランプへとアップロードするよう指示する。アドレスを指定された、ステップＳ１４において設定を受信するランプ又は送受信機は、次に、ステップＳ１６においてランプを設定する。注目すべきは、図２に示される送受信機１０は、コピーされる設定を受信する第二ランプにおいて実装されることができることである。注目すべきは、コピー手順は、ユーザによって、設定が別のランプへとアップロードされるリモコン装置３０又はランプ又は送受信機のボタンを押すことにより引き起こされるだけでなく、単なる近接の検出により、いかなるユーザインタラクションもなく自動的にも引き起こされることもできることである。その場合、通信部３６は、送信モードとリスニングモードの組み合わせにおいて動作されることができる。言い換えると、通信部３６は、周期的に近隣の他のランプを探索するための探索信号を送出し、かつ、周期的に近隣の他のランプからのいかなる探索信号を受信することができるリスニングモードに切り替わることができる。送受信機１０は、任意の探索信号又は任意の応答信号を検出したとき、プロセッサ３４は、設定のダウンロード又はアップロード手順を自動的に開始することができる。この送信モード及び受信モードは、また、ユーザによって起動されても良い。例えば、ユーザが照明システムを再設定したいと望むとき、又は既存の照明システムに統合されるべき新しいランプを取得したときである。
【００３８】
本発明の応用により、照明システムのすべてのランプは、例えば、１メートル程度の短い範囲内でのみ動作するネットワーク送受信機のような、近接検出の一形態による（無線）ネットワーク送受信機を備えていても良い。ネットワークは、単に互いに近接にあるランプが通信できるべきであるので、単純かつ単一のホップであってよい。このことは、システムのコストを低く保つことを助けるだろう。既に割り当てられたパラメータを有するランプｌ１が、照明システムにおける同様の機能を有するランプｌ２の近くに置かれたとき、ｌ１はそのパラメータをｌ２にアップロードすることができる。したがって、ユーザが新しいランプを別の同様のランプの近くに置いたときはいつでも、設定はコピーされ得る。ランプは、また、ユーザが近接にある他のランプへ設定をアップロードしたいと望んでいることを示すことができるよう、ボタンを備えていても良い。もちろん、何の機能が何であるか、ネットワークインターフェースを通じて通信するために、ランプの適切な位置にメカニズムが存在するべきである。典型的な使用シナリオは、以下のようであってもよい。
【００３９】
ユーザは、特定の色にセットされたＬｉｖｉｎｇＣｏｌｏｒｓ（商標）ランプｌ１をリビングに有する。それは、彼の精密な希望に適合する色を選択するために、かなりの時間を必要としていた。ある革新的な設定において、彼はまさに多様な照明の雰囲気を利用可能とし、かつ、彼はそれらの全ての雰囲気のため、精密な希望にあわせて色を選択することができている。もちろん、彼はこのランプの同じ面倒なプロセスを我慢しなければならないことを楽しみにしているわけではない。しかしながら、この発明により、彼は、ただ、このランプｌ２をｌ１の近くに置き、設定を共有するためにボタンを押さなければならないだけである。この負荷軽減により、全ての設定は次に自動的にコピーされ、彼の新しいランプは古いランプと正確に同じように振る舞う。
【００４０】
本発明は、例えば、自宅、店舗内及びオフィス活用における照明システムの試用ランプに適用することができる。そのことは、特にランプの容易なセットアップにふさわしい。本発明は、例えば、ユーザがランプとともに備えるリモコン装置、タグのセット及び受信機を含むキットとして、提供されることができる。
【００４１】
本発明の機能の少なくともいくつかは、ハードウェア又はソフトウェアによって実現されても良い。ソフトウェアにより実装するとき、単一又は複数の標準のマイロクプロセッサ又はマイクロコントローラが、本発明を実装する単一又は複数のアルゴリズムを処理すめたに用いられてもよい。
【００４２】
注目すべきは、“有する”の語は、他の要素又は段階を除外しないことであり、かつ、“一つの”の語は、複数存在することを除外しないことである。さらには、クレーム内のいかなる参照記号も本発明の範囲を限定するよう解釈されてはならない。
【符号の説明】
【００４３】
１０  ネットワーク送受信機
３０  リモコン装置
３２  インターフェース
３４  プロセッサ
３６  通信部
３７  アンテナ
３８  リモコンモジュール
４０  内部メモリ
【図１】
0005547745.tif 000002
【図２】
0005547745.tif 000003
【図３】
0005547745.tif 000004